(57)【要約】【課題】ヨーモーメントを車両に付加する車両ヨー制御を行う車両の制御装置において、ブレーキ装置の作動頻度の増加に対しても車両ヨー制御による旋回時の操安性能を確保する。【解決手段】車両の制御装置は、ステアリングホイール６などを含む操舵装置と、左右の車輪に異なる制動力を付与可能なブレーキ装置１６と、このブレーキ装置１６の制動力を調整可能なブレーキ制御システム１８と、プロセッサなどを含むＰＣＭ１４と、を備える。ＰＣＭ１４は、操舵装置の戻し操作に応じた値と所定の閾値とを比較して、車両に発生しているヨーレートとは逆回りのヨーモーメントを車両に付加する車両ヨー制御を実行し、車両ヨー制御の実行累積回数が多いときに、車両ヨー制御の介入頻度が低くなるように閾値を変更すること、及び、車両ヨー制御により付加するヨーモーメントを小さくすること、のうちの少なくとも一方を実行する。【選択図】図６
2019188903.tif 000002
【特許請求の範囲】
【請求項１】
操舵装置と、左右の車輪に異なる制動力を付与可能なブレーキ装置と、このブレーキ装置の制動力を調整可能なブレーキアクチュエータと、制御器と、を有する車両の制御装置であって、
前記制御器は、
前記操舵装置の戻し操作に応じた値と所定の閾値とを比較して、前記ブレーキアクチュエータを介して前記ブレーキ装置を制御することで、前記車両に発生しているヨーレートとは逆回りのヨーモーメントを前記車両に付加する車両ヨー制御を実行し、
前記車両ヨー制御の実行累積回数が多いときには、そうでないときよりも、前記車両ヨー制御の介入頻度が低くなるように前記閾値を変更する、及び前記車両ヨー制御により付加するヨーモーメントを小さくする、のうちの少なくとも一方を実行するよう構成されている、
ことを特徴とする車両の制御装置。
【請求項２】
前記制御器は、前記実行累積回数が多いときには、そうでないときよりも、前記車両ヨー制御の介入頻度が低くなるように前記閾値を変更する、及び前記車両ヨー制御により付加するヨーモーメントを小さくする、の両方を実行するよう構成されている、請求項１に記載の車両の制御装置。
【請求項３】
前記制御器は、前記車両ヨー制御の介入頻度が低くなるように前記閾値を変更する前に、前記車両ヨー制御により付加するヨーモーメントを小さくするよう構成されている、請求項２に記載の車両の制御装置。
【請求項４】
前記制御器は、
前記車両ヨー制御を実行するたびに、前記実行累積回数をカウントアップし、
前記車両ヨー制御により付加するヨーモーメントが大きいほど、前記実行累積回数をカウントアップする数を大きくするよう構成されている、請求項１乃至３のいずれか一項に記載の車両の制御装置。
【請求項５】
操舵装置と、左右の車輪に異なる制動力を付与可能なブレーキ装置と、このブレーキ装置の制動力を調整可能なブレーキアクチュエータと、制御器と、を有する車両の制御装置であって、
前記制御器は、
前記操舵装置の戻し操作に基づき、前記ブレーキアクチュエータを介して前記ブレーキ装置を制御することで、前記車両に発生しているヨーレートとは逆回りのヨーモーメントを前記車両に付加する車両ヨー制御を実行し、
前記車両ヨー制御の実行累積回数が多いときには、そうでないときよりも前記車両ヨー制御の介入頻度を低くするよう構成されている、
ことを特徴とする車両の制御装置。
【請求項６】
前記制御器は、前記操舵装置の操舵速度及び車速に応じた目標横ジャークに基づき前記ヨーモーメントを設定して、このヨーモーメントを前記車両に付加するように前記車両ヨー制御を実行するよう構成されている、請求項１乃至５のいずれか一項に記載の車両の制御装置。
【請求項７】
前記制御器は、前記操舵装置の操舵角及び車速に応じた目標ヨーレートと前記車両に実際に生じている実ヨーレートとの差の変化速度に基づき前記ヨーモーメントを設定して、このヨーモーメントを前記車両に付加するように前記車両ヨー制御を実行するよう構成されている、請求項１乃至５のいずれか一項に記載の車両の制御装置。
【発明の詳細な説明】
【技術分野】
【０００１】
本発明は、車両の制御装置に係わり、特に、左右の車輪に異なる制動力を付与可能なブレーキ装置を備えた車両の制御装置に関する。
【背景技術】
【０００２】
従来、スリップ等により車両の挙動が不安定になった場合に安全方向に車両の挙動を制御するもの（横滑り防止装置等）が知られている。具体的には、車両のコーナリング時等に、車両にアンダーステアやオーバーステアの挙動が生じたことを検出し、それらを抑制するように車輪に適切な減速度を付与するようにしたものが知られている。
【０００３】
また、上述したような車両の挙動が不安定になるような走行状態における安全性向上のための制御とは異なり、日常運転領域から稼動するハンドル操作に連係した加減速を自動的に行い、限界運転領域で横滑りを低減させるようにした車両の運動制御装置が知られている（例えば、特許文献１参照）。特に、この特許文献１には、車両の前後方向の加減速を制御する第１のモードと、車両のヨーモーメントを制御する第２のモードと、を備えた車両の運動制御装置が開示されている。
【先行技術文献】
【特許文献】
【０００４】
【特許文献１】特許５１４３１０３号公報
【発明の概要】
【発明が解決しようとする課題】
【０００５】
上述したように、特許文献１に開示された技術では、第２のモードにおいて、ヨーモーメントを車両に付加している。このヨーモーメントを車両に付加する制御は、典型的にはステアリングホイール（以下では単に「ステアリング」とも表記する。）が切り戻し操作されるときに実行される。すなわち、ステアリングが切り戻し操作されたときに、車両の旋回を抑えるべく、換言すると車両の直進方向への復帰を促進させるべく、車両に発生しているヨーレートとは逆回りのヨーモーメントが付加されるように、ブレーキ装置により旋回外輪に制動力が付与される。以下では、このようなヨーモーメントを車両に付加する制御を適宜「車両ヨー制御」と呼ぶ。
【０００６】
上記のような車両ヨー制御は、横滑り防止装置等による制御のように限定的な状況において実行されるものではなく、通常の状況において、具体的にはステアリングが切り戻し操作される状況において実行されるものである。そのため、車両ヨー制御の実行頻度が高くなることで、ブレーキ装置の作動頻度が高くなる傾向にある。したがって、このようなブレーキ装置の作動頻度の増加に対しても、車両ヨー制御による旋回時の操安性能（具体的にはステアリング操作に応じた迅速な車両挙動の安定化機能）をできるだけ確保することが望ましい。
【０００７】
本発明は、上述した従来技術の問題点を解決するためになされたものであり、ヨーモーメントを車両に付加する車両ヨー制御を行う車両の制御装置において、ブレーキ装置の作動頻度の増加に対しても車両ヨー制御による旋回時の操安性能を適切に確保することを目的とする。
【課題を解決するための手段】
【０００８】
上記の目的を達成するために、本発明は、操舵装置と、左右の車輪に異なる制動力を付与可能なブレーキ装置と、このブレーキ装置の制動力を調整可能なブレーキアクチュエータと、制御器と、を有する車両の制御装置であって、制御器は、操舵装置の戻し操作に応じた値と所定の閾値とを比較して、ブレーキアクチュエータを介してブレーキ装置を制御することで、車両に発生しているヨーレートとは逆回りのヨーモーメントを車両に付加する車両ヨー制御を実行し、車両ヨー制御の実行累積回数が多いときには、そうでないときよりも、車両ヨー制御の介入頻度が低くなるように閾値を変更する、及び車両ヨー制御により付加するヨーモーメントを小さくする、のうちの少なくとも一方を実行するよう構成されている、ことを特徴とする。
このように構成された本発明によれば、車両ヨー制御の実行累積回数（以下では適宜「車両ヨー制御累積回数」と呼ぶ。）が多いときに、車両ヨー制御の介入頻度が低くなるように閾値を変更すること、及び、車両ヨー制御により付加するヨーモーメントを小さくすること、のうちの少なくとも一方を実行する。これにより、車両ヨー制御累積回数が多いときに、車両ヨー制御を適切に抑制することができる。その結果、車両ヨー制御累積回数の増加によるブレーキ装置等の作動頻度の増加に対しても、車両ヨー制御による旋回時の操安性能を適切に確保できる。
【０００９】
本発明において、好ましくは、制御器は、実行累積回数が多いときには、そうでないときよりも、車両ヨー制御の介入頻度が低くなるように閾値を変更する、及び車両ヨー制御により付加するヨーモーメントを小さくする、の両方を実行するよう構成されている。
このように構成された本発明によれば、車両ヨー制御累積回数が多いときに、車両ヨー制御を効果的に抑制することができる。
【００１０】
本発明において、好ましくは、制御器は、車両ヨー制御の介入頻度が低くなるように閾値を変更する前に、車両ヨー制御により付加するヨーモーメントを小さくするよう構成されている。
このように構成された本発明によれば、付加するヨーモーメントの変更による車両ヨー制御の抑制を、閾値の変更による車両ヨー制御の抑制よりも早く実施するようにする。これにより、車両ヨー制御の抑制によりドライバに与える違和感を軽減できるようになる。
【００１１】
本発明において、好ましくは、制御器は、車両ヨー制御を実行するたびに、実行累積回数をカウントアップし、車両ヨー制御により付加するヨーモーメントが大きいほど、実行累積回数をカウントアップする数を大きくするよう構成されている。
このように構成された本発明によれば、車両ヨー制御によりブレーキ装置等に与える影響を適切に加味して、車両ヨー制御累積回数によって車両ヨー制御を効果的に抑制できるようになる。
【００１２】
他の観点では、上記の目的を達成するために、本発明は、操舵装置と、左右の車輪に異なる制動力を付与可能なブレーキ装置と、このブレーキ装置の制動力を調整可能なブレーキアクチュエータと、制御器と、を有する車両の制御装置であって、制御器は、操舵装置の戻し操作に基づき、ブレーキアクチュエータを介してブレーキ装置を制御することで、車両に発生しているヨーレートとは逆回りのヨーモーメントを車両に付加する車両ヨー制御を実行し、車両ヨー制御の実行累積回数が多いときには、そうでないときよりも車両ヨー制御の介入頻度を低くするよう構成されている、ことを特徴とする。
このように構成された本発明によっても、車両ヨー制御累積回数が多いときに、車両ヨー制御を適切に抑制することができる。よって、車両ヨー制御累積回数の増加によるブレーキ装置等の作動頻度の増加に対しても、車両ヨー制御による旋回時の操安性能を適切に確保できる。
【００１３】
本発明において、好ましくは、制御器は、操舵装置の操舵速度及び車速に応じた目標横ジャークに基づきヨーモーメントを設定して、このヨーモーメントを車両に付加するように車両ヨー制御を実行するよう構成されている。
このように構成された本発明によれば、ドライバのステアリング操作の速さに応じた大きさのヨーモーメントを車両の旋回を抑える方向に付与することができ、ドライバのステアリング操作に応じて素早く車両挙動を安定化させることができる。
【００１４】
本発明において、好ましくは、制御器は、操舵装置の操舵角及び車速に応じた目標ヨーレートと車両に実際に生じている実ヨーレートとの差の変化速度に基づきヨーモーメントを設定して、このヨーモーメントを車両に付加するように車両ヨー制御を実行するよう構成されている。
このように構成された本発明によれば、例えば圧雪路のような低μ路でステアリングホイールの操作を行った場合に、実ヨーレートの応答遅れに起因するヨーレート差の急激な変化に応じて直ちに旋回を抑える方向のヨーモーメントを車両に付与することができ、車両の挙動が不安定になる前の状況において、ドライバのステアリング操作に応じて素早く車両挙動を安定化させることができる。
【発明の効果】
【００１５】
本発明によれば、ヨーモーメントを車両に付加する車両ヨー制御を行う車両の制御装置において、ブレーキ装置の作動頻度の増加に対しても車両ヨー制御による旋回時の操安性能を適切に確保することができる。
【図面の簡単な説明】
【００１６】
【図１】本発明の実施形態による車両の制御装置を搭載した車両の全体構成を示すブロック図である。
【図２】本発明の実施形態による車両の制御装置の電気的構成を示すブロック図である。
【図３】本発明の実施形態による姿勢制御処理のフローチャートである。
【図４】本発明の実施形態による付加減速度設定処理のフローチャートである。
【図５】本発明の実施形態による付加減速度と操舵速度との関係を示したマップである。
【図６】本発明の実施形態による目標ヨーモーメント設定処理のフローチャートである。
【図７】本発明の実施形態による目標ヨーモーメント設定処理において用いる閾値を示したマップである。
【図８】本発明の実施形態による目標ヨーモーメント設定処理において用いるゲインを示したマップである。
【図９】本発明の実施形態による閾値を適用した場合の車両ヨー制御の介入頻度についての説明図である。
【図１０】本発明の実施形態における変形例による車両ヨー制御累積回数のカウントアップ方法についての説明図である。
【発明を実施するための形態】
【００１７】
以下、添付図面を参照して、本発明の実施形態による車両の制御装置を説明する。
【００１８】
＜システム構成＞
まず、図１により、本発明の実施形態による車両の制御装置を搭載した車両のシステム構成を説明する。図１は、本発明の実施形態による車両の制御装置を搭載した車両の全体構成を示すブロック図である。
【００１９】
図１において、符号１は、本実施形態による車両の制御装置を搭載した車両を示す。車両１の車体前部には、駆動輪（図１の例では左右の前輪２）を駆動する駆動源として、エンジン４が搭載されている。エンジン４は、ガソリンエンジンやディーゼルエンジンなどの内燃エンジンであり、本実施形態では点火プラグを有するガソリンエンジンである。
【００２０】
また、車両１は、主に、当該車両１を操舵するための操舵装置（ステアリングホイール６など）と、この操舵装置においてステアリングホイール６に連結されたステアリングコラム（図示せず）の回転角度としての操舵角を検出する操舵角センサ８と、車速を検出する車速センサ１０と、ヨーレートを検出するヨーレートセンサ１２と、を有する。これらの各センサは、それぞれの検出値をＰＣＭ（Power-train Control Module）１４に出力する。
【００２１】
また、車両１は、各車輪に設けられたブレーキ装置１６のホイールシリンダやブレーキキャリパにブレーキ液圧を供給するブレーキ制御システム１８を備えている。ブレーキ制御システム１８は、各車輪に設けられたブレーキ装置１６において制動力を発生させるために必要なブレーキ液圧を生成する液圧ポンプ２０を備えている。液圧ポンプ２０は、例えばバッテリから供給される電力で駆動され、ブレーキペダルが踏み込まれていないときであっても、各ブレーキ装置１６において制動力を発生させるために必要なブレーキ液圧を生成することが可能となっている。また、ブレーキ制御システム１８は、各車輪のブレーキ装置１６への液圧供給ラインに設けられた、液圧ポンプ２０から各車輪のブレーキ装置１６へ供給される液圧を制御するためのバルブユニット２２（具体的にはソレノイド弁）を備えている。例えば、バッテリからバルブユニット２２への電力供給量を調整することによりバルブユニット２２の開度が変更される。また、ブレーキ制御システム１８は、液圧ポンプ２０から各車輪のブレーキ装置１６へ供給される液圧を検出する液圧センサ２４を備えている。液圧センサ２４は、例えば各バルブユニット２２とその下流側の液圧供給ラインとの接続部に配置され、各バルブユニット２２の下流側の液圧を検出し、検出値をＰＣＭ（Power-train Control Module）１４に出力する。
【００２２】
ブレーキ制御システム１８は、ＰＣＭ１４から入力された制動力指令値や液圧センサ２４の検出値に基づき、各車輪のホイールシリンダやブレーキキャリパのそれぞれに独立して供給する液圧を算出し、それらの液圧に応じて液圧ポンプ２０の回転数やバルブユニット２２の開度を制御する。なお、ブレーキ制御システム１８の液圧ポンプ２０やバルブユニット２２などは、本発明における「ブレーキアクチュエータ」に相当する。
【００２３】
次に、図２により、本発明の実施形態による車両の制御装置の電気的構成を説明する。図２は、本発明の実施形態による車両の制御装置の電気的構成を示すブロック図である。
【００２４】
本実施形態によるＰＣＭ１４は、上述したセンサ８、１０、１２、２４の検出信号の他、エンジン４の運転状態を検出する各種センサが出力した検出信号に基づいて、エンジン４の各部（典型的には点火プラグ２６。その他には、スロットルバルブや、ターボ過給機や、可変バルブ機構や、燃料噴射弁や、ＥＧＲ装置等）、及びブレーキ制御システム１８に対する制御を行うべく、制御信号を出力する。
【００２５】
ＰＣＭ１４及びブレーキ制御システム１８は、それぞれ、１つ以上のプロセッサ、当該プロセッサ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。詳細は後述するが、ＰＣＭ１４及びブレーキ制御システム１８は本発明における「制御器」に相当する。
【００２６】
＜車両の姿勢制御＞
次に、車両の制御装置が実行する具体的な制御内容を説明する。まず、図３により、本発明の実施形態において車両の制御装置が行う姿勢制御処理の全体的な流れを説明する。図３は、本発明の実施形態による姿勢制御処理のフローチャートである。
【００２７】
図３の姿勢制御処理は、車両１のイグニッションがオンにされ、ＰＣＭ１４などに電源が投入された場合に起動され、所定周期（例えば５０ｍｓ）で繰り返し実行される。
姿勢制御処理が開始されると、図３に示すように、ステップＳ１において、ＰＣＭ１４は、車両１の各種情報を取得する。具体的には、ＰＣＭ１４は、操舵角センサ８が検出した操舵角、車速センサ１０が検出した車速、ヨーレートセンサ１２が検出したヨーレート等を含む、車両１の各種センサが出力した検出信号を取得する。
【００２８】
次に、ステップＳ２において、ＰＣＭ１４は、付加減速度設定処理を実行し、車両１に付加すべき付加減速度を設定する。
続いて、ステップＳ３において、ＰＣＭ１４は、目標ヨーモーメント設定処理を実行し、車両１に付加すべき目標ヨーモーメントを設定する。
【００２９】
次に、ステップＳ４において、ＰＣＭ１４は、ステップＳ２において設定された付加減速度を車両１に付加するようにエンジン２を制御する。この場合、ＰＣＭ１４は、設定された付加減速度を車両１に付加するように、エンジン２の出力トルクを減少させる。典型的には、ＰＣＭ１４は、エンジン４において点火時期を遅角させるように点火プラグ２６を制御して、エンジン２の出力トルクを減少させる。
【００３０】
また、ステップＳ４において、ブレーキ制御システム１８は、ステップＳ３において設定された目標ヨーモーメントを車両１に付加するようにブレーキ装置１６を制御する、つまり車両ヨー制御を実行する。ブレーキ制御システム１８は、ヨーモーメント指令値と液圧ポンプ２０の回転数との関係を規定したマップを予め記憶しており、このマップを参照することにより、ステップＳ３の目標ヨーモーメント設定処理において設定されたヨーモーメント指令値に対応する回転数で液圧ポンプ２０を作動させる（例えば、液圧ポンプ２０への供給電力を上昇させることにより、制動力指令値に対応する回転数まで液圧ポンプ２０の回転数を上昇させる）。
【００３１】
また、ブレーキ制御システム１８は、例えば、ヨーモーメント指令値とバルブユニット２２の開度との関係を規定したマップを予め記憶しており、このマップを参照することにより、ヨーモーメント指令値に対応する開度となるようにバルブユニット２２を個々に制御し（例えば、ソレノイド弁への供給電力を上昇させることにより、制動力指令値に対応する開度までソレノイド弁の開度を増大させる）、各車輪の制動力を調整する。なお、ブレーキ制御システム１８は、ステップＳ３において目標ヨーモーメントが設定されなかった場合には、上記のステップＳ４の制御を行わない。
【００３２】
次に、ステップＳ５において、ＰＣＭ１４は、ステップＳ３において設定された目標ヨーモーメントに基づき車両ヨー制御を実行した場合、車両ヨー制御の実行累積回数を示す車両ヨー制御累積回数をカウントアップする。例えば、ＰＣＭ１４は、車両ヨー制御を実行する度に、車両ヨー制御累積回数を１ずつカウントアップし、その車両ヨー制御累積回数をメモリ等に記憶する。
【００３３】
以上述べたステップＳ５の後、ＰＣＭ１４は、姿勢制御処理を終了する。
【００３４】
次に、図４及び図５により、本発明の実施形態による付加減速度設定処理について説明する。図４は、本発明の実施形態による付加減速度設定処理のフローチャートであり、図５は、本発明の実施形態による付加減速度と操舵速度との関係を示したマップである。
【００３５】
図４に示すように、付加減速度設定処理が開始されると、ステップＳ１１において、ＰＣＭ１４は、図３の挙動制御処理のステップＳ１において取得した操舵角に基づき操舵速度を算出する。
【００３６】
次に、ステップＳ１２において、ＰＣＭ１４は、ステアリングホイール６の切り込み操作中（即ち操舵角（絶対値）が増大中）且つ操舵速度が所定の閾値Ｓ1以上であるか否かを判定する。
その結果、切り込み操作中且つ操舵速度が閾値Ｓ1以上である場合、ステップＳ１３に進み、ＰＣＭ１４は、操舵速度に基づき付加減速度を設定する。この付加減速度は、ドライバの意図した車両挙動を正確に実現するために、ステアリング操作に応じて車両１に付加すべき減速度である。
【００３７】
具体的には、ＰＣＭ１４は、図５のマップに示した操舵速度と付加減速度との関係に基づき、ステップＳ１１において算出した操舵速度に対応する付加減速度を設定する。
図５における横軸は操舵速度を示し、縦軸は付加減速度を示す。図５に示すように、操舵速度が閾値Ｓ1未満である場合、対応する付加減速度は０である。即ち、操舵速度が閾値Ｓ1未満である場合、ＰＣＭ１４は、ステアリング操作に基づき車両１に減速度を付加するための制御（具体的にはエンジン４の出力トルクの低減）を行わない。
一方、操舵速度が閾値Ｓ1以上である場合には、操舵速度が増大するに従って、この操舵速度に対応する付加減速度は、所定の上限値Ｄmaxに漸近する。即ち、操舵速度が増大するほど付加減速度は増大し、且つ、その増大量の増加割合は小さくなる。この上限値Ｄmaxは、ステアリング操作に応じて車両１に減速度を付加しても、制御介入があったとドライバが感じない程度の減速度に設定される（例えば０．５ｍ／ｓ2≒０．０５Ｇ）。
さらに、操舵速度が閾値Ｓ1よりも大きい閾値Ｓ2以上の場合には、付加減速度は上限値Ｄmaxに維持される。
ステップＳ１３の後、ＰＣＭ１４は付加減速度設定処理を終了し、メインルーチンに戻る。
【００３８】
また、ステップＳ１２においてステアリングホイール６の切り込み操作中ではない（即ち操舵角が一定又は減少中）か、操舵速度が閾値Ｓ1未満である場合、ＰＣＭ１４は付加減速度設定処理を終了し、メインルーチンに戻る。
【００３９】
ＰＣＭ１４は、上述した付加減速度設定処理において操舵角の増大速度に基づき設定した付加減速度を実現するように、図３の姿勢制御処理のステップＳ４においてエンジン４の出力トルクを減少させる。このように、ステアリングホイール６の切り込み操作が行われた場合に、その操舵速度に基づきエンジン４の出力トルクを減少させることにより前輪２の垂直荷重を増大させ、ドライバによる切り込み操作に対して良好な応答性で車両１の挙動を制御することができる。
【００４０】
次に、図６乃至図８により、本発明の実施形態における目標ヨーモーメント設定処理について説明する。
【００４１】
図６は、本発明の実施形態による目標ヨーモーメント設定処理のフローチャートであり、図７は、本発明の実施形態による目標ヨーモーメント設定処理において用いる閾値を示したマップであり、図８は、本発明の実施形態による目標ヨーモーメント設定処理において用いるゲインを示したマップである。
【００４２】
図６に示すように、目標ヨーモーメント設定処理が開始されると、ステップＳ３１において、ＰＣＭ１４は、図３の姿勢制御処理のステップＳ１において取得した操舵角及び車速に基づき目標ヨーレート及び目標横ジャークを算出する。具体的には、ＰＣＭ１４は、車速に応じた係数を操舵角に乗ずることにより目標ヨーレートを算出する。また、ＰＣＭ１４は、操舵速度及び車速に基づき目標横ジャークを算出する。
【００４３】
次に、ステップＳ３２において、ＰＣＭ１４は、図３の姿勢制御処理のステップＳ１において取得したヨーレートセンサ１２が検出したヨーレート（実ヨーレート）とステップＳ３１で算出した目標ヨーレートとの差（ヨーレート差）Δγを算出する。
【００４４】
次に、ステップＳ３３において、ＰＣＭ１４は、メモリなどに記憶された車両ヨー制御累積回数を取得し、この車両ヨー制御累積回数に応じて、以下の処理での判定において用いる閾値Ｙ1及びＳ3を設定すると共に、以下の処理で目標ヨーモーメントを設定するために用いるゲインを設定する。
【００４５】
まず、図７を参照して、閾値Ｙ1及びＳ3の設定について具体的に説明する。これらの閾値Ｙ1及びＳ3は、後述するステップＳ３４（Ｓ３６も含む）とステップＳ３７の異なる判定で用いられるものであるが、基本的には、ステアリングホイール６の切り戻し操作に応じた所定のパラメータが当該閾値Ｙ1及びＳ3以上である場合に、車両に付加すべき目標ヨーモーメントを設定するように用いられる（つまり所定のパラメータが閾値Ｙ1及びＳ3未満である場合には目標ヨーモーメントは設定されない）。なお、図７の説明においては、「閾値Ｙ1」及び「閾値Ｓ3」のことを単に「閾値」と表記することがある。
【００４６】
図７は、本発明の実施形態において目標ヨーモーメントを設定するために用いられる閾値を規定したマップである。このマップは予め作成されメモリ等に記憶されている。図７は、横軸に車両ヨー制御累積回数を示しており、縦軸に閾値を示している。
【００４７】
図７に示すように、車両ヨー制御累積回数が所定回数Ｎ１以上になると、閾値が大きくなるように、具体的には閾値Ｙ1及び閾値Ｓ3の両方とも値が大きくなるように、マップが規定されている。このようなマップによれば、車両ヨー制御累積回数が大きいときに、ステアリングホイール６の切り戻し操作に応じた所定のパラメータが閾値以上であるという条件が成立しにくくなる。その結果、以下の処理において目標ヨーモーメントが設定される可能性が低くなる。すなわち、車両ヨー制御累積回数が大きいときに、実ヨーレートとは逆回りのヨーモーメントをブレーキ装置１６により車両１に付加する制御（車両ヨー制御）が抑制されることとなる、換言すると車両ヨー制御が実行されにくくなる。
【００４８】
ここで、図９を参照して、このような閾値を適用した場合の車両ヨー制御の介入頻度について具体的に説明する。図９は、横軸に車両ヨー制御累積回数を示し、縦軸に車両ヨー制御の介入頻度を示している。車両ヨー制御累積回数が所定回数Ｎ１以上になると、閾値が大きくなる結果（図７参照）、図９に示すように車両ヨー制御の介入頻度が低下していく、すなわち車両ヨー制御が抑制されることとなる。これにより、車両ヨー制御累積回数の増加によるブレーキ装置１６（ブレーキ制御システム１８の液圧ポンプ２０やバルブユニット２２なども含む。以下同様。）の作動頻度の増加に対しても、車両ヨー制御による旋回時の操安性能（具体的にはステアリング操作に応じた迅速な車両挙動の安定化機能）を適切に確保できるようになる。
【００４９】
なお、図７は、車両ヨー制御累積回数に応じた閾値Ｙ1及びＳ3の両方の傾向を概略的に示したものであり、実際には、このような傾向に従って、車両ヨー制御累積回数に応じて閾値Ｙ1及びＳ3のそれぞれが別々に設定される。つまり、ステップＳ３４（Ｓ３６も含む）とステップＳ３７の異なる判定で用いられる閾値Ｙ1と閾値Ｓ3のそれぞれについて、車両ヨー制御累積回数に応じたマップが規定されており、原則、閾値Ｙ1と閾値Ｓ3とは異なる値に設定される。また、これら閾値Ｙ1及びＳ3は、事前にシミュレーションや実験などを行うことで、車両ヨー制御を適用する車両１の特性などに応じた値が適合により設定される（後述するゲインも同様である）。
【００５０】
次に、図８を参照して、本発明の実施形態において目標ヨーモーメントを設定するために用いられるゲインについて具体的に説明する。図８は、本発明の実施形態によるゲインを規定したマップである。このマップは予め作成されメモリ等に記憶されている。図８は、横軸に車両ヨー制御累積回数を示しており、縦軸にゲインを示している。例えば、このゲインは、車両ヨー制御累積回数に応じた０から１までの値に設定されており（０≦ゲイン≦１）、後述する手法により算出された目標ヨーモーメントに対して乗算するよう用いられる。すなわち、この例では、０から１までの値であるゲインを乗算して得られた値が、最終的に適用すべき目標ヨーモーメントとして用いられる。
【００５１】
図８に示すように、車両ヨー制御累積回数が所定回数Ｎ２以上になると、ゲインが小さくなるように、マップが規定されている。このようなゲインによれば、車両ヨー制御累積回数が大きいときに、目標ヨーモーメントが小さくなる。その結果、車両ヨー制御累積回数が大きいときに、車両ヨー制御が実質的に抑制されることとなる。これによっても、車両ヨー制御累積回数の増加によるブレーキ装置１６の作動頻度の増加に対しても、車両ヨー制御による旋回時の操安性能を適切に確保できるようになる。
【００５２】
なお、後述する処理においては、異なるステップＳ３５とステップＳ３８において目標ヨーモーメントが別々に設定されるが、これら異なるステップＳ３５、Ｓ３８での目標ヨーモーメントの設定において異なる値のゲインが用いられるようにしてもよい。そうした場合にも、基本的には、車両ヨー制御累積回数が大きいときに、ゲインを小さくすればよい。
【００５３】
また、ゲインについて適用する車両ヨー制御累積回数の所定回数Ｎ２（図８参照）は、閾値について適用する車両ヨー制御累積回数の所定回数Ｎ１（図７参照）よりも小さい（Ｎ２＜Ｎ１）。これにより、ゲインによる車両ヨー制御の抑制が閾値による車両ヨー制御の抑制よりも早く実施されることとなる。換言すると、閾値による車両ヨー制御の抑制と比較して車両ヨー制御累積回数が少ない段階においてゲインによる車両ヨー制御の抑制が実施されることとなる。閾値は車両ヨー制御を実行するか否かを決めるパラメータであるのに対して、ゲインは車両ヨー制御による目標ヨーモーメントの大きさを決めるパラメータである。つまり、本実施形態においては、閾値を用いて車両ヨー制御を実行するか否かを切り替える一方で、ゲインを用いて車両ヨー制御による目標ヨーモーメントの大きさを小さくしている。よって、ゲインのほうが閾値よりも車両ヨー制御を抑制する度合いが小さい、換言すると車両ヨー制御に与える影響が小さいと言える。したがって、上記のような関係を有する所定回数Ｎ１、Ｎ２を適用して（Ｎ２＜Ｎ１）、ゲインによる車両ヨー制御の抑制を閾値による車両ヨー制御の抑制よりも早く実施するようにすることで、車両ヨー制御の抑制によりドライバに与える違和感を小さくすることができる。なお、所定回数Ｎ１、Ｎ２には、例えば２０〜７０万回程度の回数が適用される。
【００５４】
図６に戻って、ステップＳ３４以降の処理について説明を再開する。ステップＳ３４において、ＰＣＭ１４は、ステアリングホイール６の切り戻し操作中（即ち操舵角が減少中）であり、且つ、ヨーレート差Δγを時間微分することで得られるヨーレート差の変化速度Δγ′が閾値Ｙ1以上であるか否かを判定する。ＰＣＭ１４は、この閾値Ｙ1として、ステップＳ３３で設定された値を用いる。
【００５５】
その結果、切り戻し操作中且つヨーレート差の変化速度Δγ′が閾値Ｙ1以上である場合、ステップＳ３５に進み、ＰＣＭ１４は、ヨーレート差の変化速度Δγ′と、ステップＳ３３で設定されたゲインとに基づき、車両１の実ヨーレートとは逆回りのヨーモーメントを第１の目標ヨーモーメントとして設定する。具体的には、ＰＣＭ１４は、所定の係数をヨーレート差の変化速度Δγ′に乗ずることにより、基準となる第１の目標ヨーモーメントの大きさを算出し、この基準となる第１の目標ヨーモーメントに対してゲインを更に乗ずることにより、車両１に適用すべき第１の目標ヨーモーメントの大きさを算出する。
【００５６】
一方、ステップＳ３４において、ステアリングホイール６の切り戻し操作中ではない（即ち操舵角が一定又は増大中である）場合、ステップＳ３６に進み、ＰＣＭ１４は、ヨーレート差の変化速度Δγ′が実ヨーレートが目標ヨーレートより大きくなる方向（即ち車両１の挙動がオーバーステアとなる方向）であり且つヨーレート差の変化速度Δγ′が閾値Ｙ1以上であるか否かを判定する。具体的には、ＰＣＭ１４は、目標ヨーレートが実ヨーレート以上の状況の下でヨーレート差が減少している場合や、目標ヨーレートが実ヨーレート未満の状況の下でヨーレート差が増大している場合に、ヨーレート差の変化速度Δγ′は実ヨーレートが目標ヨーレートより大きくなる方向であると判定する。
【００５７】
その結果、ヨーレート差の変化速度Δγ′が実ヨーレートが目標ヨーレートより大きくなる方向であり且つヨーレート差の変化速度Δγ′が閾値Ｙ1以上である場合、ステップＳ３５に進み、ＰＣＭ１４は、上記と同様にして、ヨーレート差の変化速度Δγ′とステップＳ３３で設定されたゲインとに基づき、車両１の実ヨーレートとは逆回りのヨーモーメントを第１の目標ヨーモーメントとして設定する。
【００５８】
ステップＳ３５の後、又は、ステップＳ３６においてヨーレート差の変化速度Δγ′が実ヨーレートが目標ヨーレートより大きくなる方向ではないかヨーレート差の変化速度Δγ′が閾値Ｙ1未満である場合、ステップＳ３７に進み、ＰＣＭ１４は、ステアリングホイール６の切り戻し操作中（即ち操舵角が減少中）であり、且つ、操舵速度が所定の閾値Ｓ3以上であるか否かを判定する。ＰＣＭ１４は、この閾値Ｓ3として、ステップＳ３３で設定された値を用いる。
【００５９】
その結果、切り戻し中且つ操舵速度が閾値Ｓ3以上である場合、ステップＳ３８に進み、ＰＣＭ１４は、ステップＳ３１で算出した目標横ジャークと、ステップＳ３３で設定されたゲインとに基づき、車両１の実ヨーレートとは逆回りのヨーモーメントを第２の目標ヨーモーメントとして設定する。具体的には、ＰＣＭ１４は、所定の係数を目標横ジャークに乗ずることにより、基準となる第２の目標ヨーモーメントの大きさを算出し、この基準となる第２の目標ヨーモーメントに対してゲインを更に乗ずることにより、車両１に適用すべき第２の目標ヨーモーメントの大きさを算出する。
【００６０】
ステップＳ３８の後、又は、ステップＳ３７においてステアリングホイール６の切り戻し操作中ではない（即ち操舵角が一定又は増大中である）か操舵速度が閾値Ｓ3未満である場合、ステップＳ３９に進み、ＰＣＭ１４は、ステップＳ３５で設定した第１の目標ヨーモーメントとステップＳ３８で設定した第２の目標ヨーモーメントとの内、大きい方をヨーモーメント指令値に設定する。なお、ステップＳ３５及びステップＳ３８の両方において目標ヨーモーメントが設定されなかった場合（つまりステップＳ３５、Ｓ３８の処理が両方とも実行されなかった場合）、ＰＣＭ１４は、ステップＳ３９においてヨーモーメント指令値を設定しない。ステップＳ３９の後、ＰＣＭ１４は目標ヨーモーメント設定処理を終了し、メインルーチンに戻る。
【００６１】
＜作用効果＞
次に、本発明の実施形態による車両の制御装置の作用効果について説明する。
【００６２】
本実施形態によれば、ＰＣＭ１４は、車両ヨー制御累積回数が多いときには、そうでないときよりも、車両ヨー制御の介入頻度を低くするようにする。具体的には、ＰＣＭ１４は、車両ヨー制御累積回数が多いときには、そうでないときよりも、車両ヨー制御の実行可否を判断するための閾値を大きくすると共に、車両ヨー制御による目標ヨーモーメントの大きさを調整するためのゲインを小さくする。これにより、車両ヨー制御累積回数が多いときに、車両ヨー制御を適切に抑制することができる。その結果、車両ヨー制御累積回数の増加によるブレーキ装置１６等の作動頻度の増加に対しても、車両ヨー制御による旋回時の操安性能（具体的にはステアリング操作に応じた迅速な車両挙動の安定化機能）を適切に確保することができる。
【００６３】
また、本実施形態によれば、ＰＣＭ１４は、閾値により車両ヨー制御を抑制する前に、ゲインにより車両ヨー制御を抑制するようにする。具体的には、ゲインについて適用する車両ヨー制御累積回数の所定回数Ｎ２を、閾値について適用する車両ヨー制御累積回数の所定回数Ｎ１よりも小さくすることで（Ｎ２＜Ｎ１）、ゲインによる車両ヨー制御の抑制を、閾値による車両ヨー制御の抑制よりも早く実施するようにする。これにより、車両ヨー制御の抑制によりドライバに与える違和感を軽減することができる。
【００６４】
また、本実施形態によれば、ＰＣＭ１４は、操舵角センサ８の検出値に基づき取得した操舵速度が閾値Ｓ3以上となったときに、操舵速度及び車速に基づき目標横ジャークを設定し、当該目標横ジャークに基づき車両ヨー制御において適用するヨーモーメントを設定する。これにより、ドライバのステアリング操作の速さに応じた大きさのヨーモーメントを車両１の旋回を抑える方向に付加することができ、ドライバのステアリング操作に応じて素早く車両挙動を安定化させることができる。
【００６５】
また、本実施形態によれば、ＰＣＭ１４は、車両１に実際に生じている実ヨーレートと操舵角センサ８の検出値に基づき設定された目標ヨーレートとの差の変化速度が閾値Ｙ1以上となったときに、当該変化速度に基づき車両ヨー制御において適用するヨーモーメントを設定する。これにより、例えば圧雪路のような低μ路でステアリングホイールの操作を行った場合に、実ヨーレートの応答遅れに起因するヨーレート差の急激な変化に応じて直ちに旋回を抑える方向のヨーモーメントを車両１に付加することができ、車両１の挙動が不安定になる前の状況において、ドライバのステアリング操作に応じて素早く車両挙動を安定化させることができる。
【００６６】
＜変形例＞
次に、本実施形態の変形例（他の実施形態と同義である）について説明する。以下では示す複数の変形例は、互いに適宜組み合わせて実施可能である。
【００６７】
（変形例１）
上記した実施形態では、車両ヨー制御累積回数に応じて閾値及びゲインを実質的に段階的に変化させていた。具体的には、車両ヨー制御累積回数が所定回数Ｎ１以上になると閾値を大きくし（図７参照）、車両ヨー制御累積回数が所定回数Ｎ２以上になるとゲインを小さくしていた（図８参照）。変形例では、このように閾値及びゲインを実質的に段階的に変化させる代わりに、車両ヨー制御累積回数の全域において閾値及びゲインを連続的に変化させてもよい。この変形例においては、車両ヨー制御累積回数の全域に亘って、車両ヨー制御累積回数が大きくなるほど閾値を大きくし、車両ヨー制御累積回数が大きくなるほどゲインを小さくすればよい。
【００６８】
（変形例２）
上記した実施形態では、車両ヨー制御累積回数に応じて、車両ヨー制御を実行するか否かを判定するための閾値と、車両ヨー制御により付加するヨーモーメントの両方を変更することで（ゲインにより変更）、車両ヨー制御を抑制するようにしていたが、変形例では、車両ヨー制御累積回数に応じて、これら閾値及びヨーモーメントの一方のみを変更してもよい。
【００６９】
（変形例３）
上記した実施形態では、車両ヨー制御を実行する度に、車両ヨー制御累積回数を１ずつカウントアップする例を示したが（図３のステップＳ５）、このように車両ヨー制御累積回数をカウントアップすることに限定はされない。変形例では、車両ヨー制御により付加するヨーモーメントが大きいほど、車両ヨー制御累積回数をカウントアップする数を大きくしてもよい。
【００７０】
図１０は、本発明の実施形態における変形例による車両ヨー制御累積回数のカウントアップ方法についての説明図である。図１０の上には、車両ヨー制御により付加されたヨーモーメントの時間変化の一例を示し、図１０の下には、車両ヨー制御累積回数の時間変化の一例を示している。
【００７１】
本変形例では、ＰＣＭ１４は、車両ヨー制御により付加するヨーモーメントの基準値（例えば適用頻度が最も高いヨーモーメントの値に基づき設定される）を規定しておき、基準値以下のヨーモーメントが車両ヨー制御により付加されたときには、車両ヨー制御累積回数を１回分カウントアップし、基準値を超えるヨーモーメントが車両ヨー制御により付加されたときには、基準値に対する当該ヨーモーメントの比率に応じた回数分、車両ヨー制御累積回数をカウントアップする。図１０に示す例では、まず、基準値とほぼ同一のヨーモーメントＭ１が車両ヨー制御により付加されたときに、ＰＣＭ１４は、車両ヨー制御累積回数を１回分カウントアップする。この後、基準値のほぼ４倍の大きさのヨーモーメントＭ２が車両ヨー制御により付加されたときに、ＰＣＭ１４は、車両ヨー制御累積回数を４回分カウントアップする。
【００７２】
このような変形例によれば、車両ヨー制御によるヨーモーメントの大きさに応じて車両ヨー制御累積回数をカウントアップするので、車両ヨー制御によりブレーキ装置１６等に与える影響を適切に加味して、車両ヨー制御累積回数によって車両ヨー制御を効果的に抑制できるようになる。
【００７３】
（変形例４）
上記した実施形態では、ヨーレート差の変化速度Δγ′に基づく目標ヨーモーメントの設定と（図６のステップＳ３５）、目標横ジャークに基づく目標ヨーモーメントの設定（図６のステップＳ３８）の両方を実行していたが、変形例では、これら２つの目標ヨーモーメントの設定のうちのいずれか一方のみを実行してもよい。
【００７４】
（変形例５）
上記した実施形態では、ステアリングホイール６に連結されたステアリングコラムの回転角度（操舵角センサ８により検出される角度）を車両１の操舵角として用いる例を示したが、変形例では、ステアリングコラムの回転角度の代わりに又はステアリングコラムの回転角度と共に、操舵系における各種状態量（アシストトルクを付与するモータの回転角や、ラックアンドピニオンにおけるラックの変位等）を車両１の操舵角として用いてもよい。
【符号の説明】
【００７５】
１  車両
２  前輪
４  エンジン
６  ステアリングホイール
８  操舵角センサ
１０  車速センサ
１２  ヨーレートセンサ
１４  ＰＣＭ
１６  ブレーキ装置
１８  ブレーキ制御システム
【図１】
2019188903.tif 000003
【図２】
2019188903.tif 000004
【図３】
2019188903.tif 000005
【図４】
2019188903.tif 000006
【図５】
2019188903.tif 000007
【図６】
2019188903.tif 000008
【図７】
2019188903.tif 000009
【図８】
2019188903.tif 000010
【図９】
2019188903.tif 000011
【図１０】
2019188903.tif 000012